(57)【要約】【課題】  封止のためのシール材を一回一回貼る作業の手間と時間を掛ける必要が無く、しかも食品包装袋を吊り下げているときにミシン目が切断してしまうのを防止する。【解決手段】  表フィルム材１０と、裏フィルム材２０とによって包装袋本体１を形成して成る食品包装袋であって、裏フィルム材２０と表フィルム材１０との間に形成された食品投入用の開口部３を閉塞するよう、当該裏フィルム材の延長上端片に接着面部２４を設け、この接着面部２４に剥離材２５を貼着する。剥離材２５は、その下端に折り込み部２５ａが形成され、上端に貫通孔２５ｂが形成されている。【選択図】          図３
2006123977.tif 000002
【特許請求の範囲】
【請求項１】
表フィルム材と、裏フィルム材とによって包装袋本体を形成して成る食品包装用袋であって、裏フィルム材と表フィルム材との間に形成された開口部を折り込み閉塞するよう、当該裏フィルム材の延長上端片に接着面部を設け、この接着面部に剥離材を貼着したことを特徴とする食品包装袋。
【請求項２】
剥離材は、その下端に裏フィルム材の接着面部に貼着される折り込み部が形成されていることを特徴とする請求項１記載の食品包装袋。
【請求項３】
剥離材は、その上端に吊り掛け用の貫通孔が形成されていることを特徴とする請求項１または２記載の食品包装袋。
【請求項４】
裏フィルム材の下端片に開封用の一対のカット部が上下方向へ切設されていることを特徴とする請求項１に記載の食品包装袋。
【請求項５】
裏フィルム材として一軸延伸処理がなされたポリプロピレン等製のフィルム材が使用され、一対のカット部の切り込み方向への引き裂きが容易となっている請求項１または請求項４記載の食品包装袋。
【発明の詳細な説明】
【技術分野】
【０００１】
本発明は、おにぎりやサンドイッチ等の食品を包装する食品包装袋に関する。
【背景技術】
【０００２】
従来から食品包装袋は、例えば図６に示すように、上端辺が幅広で下端辺が幅狭となるよう相対向する短尺な斜辺と相対向する長尺な斜辺とを有して成る略六角形状に切断され、且つ幅狭側下端辺から矩形状の下側延片部２を有して成る、例えばポリプロピレン等の合成樹脂製の表フィルム材１０と、これと略同一の六角形に加え、幅広側上端辺から略台形状の上側延片部２２を有し、且つ幅狭側下端辺から若干長目に延びた矩形状の下側延片部２１に開封用の一対のカット部２１ａ、２１ａを形成すべくカットテープを貼着して成る、例えばポリプロピレン等の合成樹脂製の裏フィルム材２０とを備えている。そして、両フィルム材１０、２０の短尺な斜辺同士、長尺な斜辺同士、幅狭側下端辺同士それぞれを熱融着し、且つ幅広側上端辺同士を開口させて食品挿入用の開口部３とした袋状に包装袋本体１を形成している。
【０００３】
使用に際しては、裏フィルム材２０の幅広側上端辺から延びた略台形状の上側延片部２２に形成されている一対の貫通孔２２ａ、２２ａに棒状掛止体３０、３０を挿入して包装袋本体１を安定保持させている。
【０００４】
そして、包装袋本体１を下方へ引っ張ることで、裏フィルム材２０の幅広側上端辺から延びた略台形状の上側延片部２２における貫通孔２２ａ、２２ａよりも下側に形成されているミシン目２３で切断した後、包装本体１の開口部３を拡げ食品Ｐを投入してから裏フィルム材２０の幅広側上端辺を前方へ折り込み、表フィルム材１０表面に重ね合わせてからその上からシール材３２を貼って固定するものであった。そして、食するときには、裏フィルム材２０における矩形状の下側延片部２１のカット部２１ａ、２１ａにおけるカットテープを引き抜いて裏フィルム材２０側を開封するのであった。
【特許文献１】特になし
【発明の開示】
【発明が解決しようとする課題】
【０００５】
しかしながら、従来の食品包装袋では、シール材を一回一回貼る作業が必要なため、手間と時間が掛ってしまう問題があった。
【０００６】
そこで、本発明は、叙上のような従来存した諸事情に鑑み創出されたもので、封止のためのシール材を一回一回貼る作業の手間と時間を掛ける必要が無い食品包装袋を提供することを目的とする。
【課題を解決するための手段】
【０００７】
上述した課題を解決するため、本発明にあっては、請求項１では、表フィルム材と裏フィルム材とによって包装袋本体を形成して成る食品包装用袋であって、裏フィルム材と表フィルム材との間に形成された開口部を折り込み閉塞するよう、当該裏フィルム材の延長上端片に接着面部を設け、この接着面部に剥離材を貼着したことを特徴とする。
【０００８】
請求項２では、剥離材は、その下端に裏フィルム材の接着面部に貼着される折り込み部が形成されていることを特徴とする。
【０００９】
請求項３では、剥離材は、その上端に吊り掛け用の貫通孔が形成されていることを特徴とする。
【００１０】
請求項４では、裏フィルム材の下端片に開封用の一対のカット部が上下方向へ切設されていることを特徴とする。
【００１１】
請求項５では、裏フィルム材として一軸延伸処理がなされたポリプロピレン等製のフィルム材が使用され、一対のカット部の切り込み方向への引き裂きが容易となっていることを特徴とする。
【００１２】
以上のように構成された本発明に係る食品包装袋にあって、包装袋本体を下方へ引っ張ることで、裏フィルム材上端片の接着面部が吊持されている剥離材から剥れて当該接着面部を露出させる。
【００１３】
そして、この状態で開口部より食品を投入後、裏フィルム材の延長上端片を開口部を塞ぐようにして前方へ折り込み、表フィルム材表面に重ね合せることで接着面部によって裏フィルム材の延長上端片が表フィルム材表面に接着固定される。
【発明の効果】
【００１４】
以上のとおり、本発明によれば、封止のためのシール部を一回一回貼る作業の手間と時間を掛ける必要がなく、作業性の向上が図れる。
【００１５】
すなわち、これは本発明が、裏フィルム材と表フィルム材との間に形成された食品投入用の開口部を折り込み閉塞するよう、当該裏フィルム材の延長上端片に接着面部を設け、この接着面部に剥離材を貼着して成るからであり、これによって、包装袋本体を下方へ引っ張って剥離材から剥してから、食品投入後、裏フィルム材の延長上端片を開口部を塞ぐようにして前方へ折り込み、表フィルム材表面に重ね合せるだけで接着面部によって裏フィルム材を表フィルム材表面に容易に接着固定することができる。したがって、従来のようにシール材を一回一回貼る作業の手間と時間を掛ける必要が無くなる。
【００１６】
また、剥離材は、その下端に裏フィルム材の接着面部に貼着される折り込み部が形成されているので、包装袋本体を下方へ引っ張った際、上方が吊持されている剥離材下端の折り込み部が下方へ徐々に捲かれるようにして裏フィルム材の延長上端片が剥離されることになる。したがって、剥離材に対する裏フィルム材の剥離が極めて円滑かつ容易に行える。
【００１７】
また、剥離材は、その上端に吊り掛け用の貫通孔が形成されているため、この貫通孔を棒状掛止体に挿入して包装袋本体を安定保持させることができる。
【００１８】
さらに、裏フィルム材の下端片に開封用の一対のカット部が上下方向へ切設されているので、食品収納後の密封された袋をワンタッチで簡単に開封することができる。
【００１９】
さらにまた、裏フィルム材として一軸延伸処理がなされたポリプロピレン等製のフィルム材が使用され、一対のカット部の切り込み方向への引き裂きが容易となっているので、カットテープを使用しなくともワンタッチで簡単に開封することができると共に、製品コストを廉価とすることができる。
【発明を実施するための最良の形態】
【００２０】
以下、図面を参照して本発明を実施するための最良の一形態を説明すると、図において示される符号１は、例えばおにぎりやサンドイッチ等の食品Ｐを包装するための本発明の食品包装袋に係る包装袋本体であり、この包装袋本体１は、上端辺が幅広で下端辺が幅狭となるよう相対向する短尺な斜辺と相対向する長尺な斜辺とを有して成る略六角形状に切断され、且つ幅狭側下端辺から矩形状の下側延片部２を有して成る、例えばポリプロピレン等の透明合成樹脂製の表フィルム材１０と、これと略同一の六角形に加え、幅広側上端辺に略台形部から成る一連の上側延片部２２を有し、且つ幅狭側下端辺から若干長目に延びた矩形状の下側延片部２１に開封用の一対のカット部２１ａ、２１ａを形成して成る透明合成樹脂製の裏フィルム材２０とを備えている。尚、この裏フィルム材２０には、一軸延伸処理がなされたポリプロピレン製のフィルム材が採用され、カット部２１ａ、２１ａの切り込み方向への引き裂きが容易となっている。
【００２１】
そして、両フィルム材１０、２０の端尺な斜辺同士、長尺な斜辺同士、幅狭側下端辺同士それぞれを熱融着し、且つ幅広側上端辺同士を開口させて食品挿入用の開口部３とした袋状に包装袋本体１が形成されている。
【００２２】
また、裏フィルム材２０の幅広側上端辺から延びた上側延片部２２における台形部の上側には、固形状の粘着材が塗布されて成る接着面部２４が帯状に形成され、この帯状の接着面部２４に透明フィルム状の剥離材２５を貼り付けてある。
【００２３】
剥離材２５は、その下端に折り込み部２５ａが形成され、この折り込み部２５ａを内側にした状態で裏フィルム材２０に貼り付けられ、これによって包装袋本体１を下方へ引っ張った際に、接着面部２４から剥離材２５がスムーズに捲られるようにして剥離されるようにしてある。また、この剥離材２５の上端には吊持用の一対の貫通孔２５ｂ、２５ｂが形成されている。
【００２４】
次に、本構成による包装袋本体１の使用の１例について説明すると、この包装袋本体１は、剥離材２５上端の一対の貫通孔２５ｂ、２５ｂを棒状掛止体３０へ挿入することによって安定保持させておく。
【００２５】
そして、包装袋本体１を下方へ引っ張ることで、裏フィルム材２０の接着面部２４が剥離材２５から剥離され、当該接着面部２４外方に露出した状態で裏フィルム２０が引き離される。
【００２６】
その後、開口部３から食品Ｐを投入後、図５に示したように、裏フィルム材２０の幅広側上端辺を開口部３を塞ぐようにして前方へ折り込み、表フィルム材１０重面に重ね合せることで接着面部２４によって裏フィルム材２０の幅広側上端辺が裏フィルム材１０表面に接着固定される。
【００２７】
そして、食するときには、裏フィルム材２０における矩形状の下側延片部２１のカット部２１ａ、２１ａを引き抜いて裏フィルム材２０側を開封すれば良い。
【００２８】
尚、包装袋本体１における開口部３の開口にはブロアーを使うこともできるが、手動によることもできる。
【図面の簡単な説明】
【００２９】
【図１】本発明を実施するための最良の形態を示す包装袋本体の正面図である。
【図２】同じく包装袋本体の背面図である。
【図３】同じく包装袋本体の縦断面図である。
【図４】同じく食品投入状態を示す正面図である。
【図５】同じく食品の包装完成状態の正面図である。
【図６】従来例における包装袋本体を示すもので、（ａ）は開口部開封状態の正面図、（ｂ）は開口部から食品を投入する状態の正面図、（ｃ）は開口部側をシール材で封止した状態の正面図、（ｄ）は包装完成状態の背面図である。
【符号の説明】
【００３０】
Ｐ      食品
１      包装袋本体
２      下側延片部
３      開口部
１０    表フィルム材
２０    裏フィルム材
２１    下側延片部
２１ａ  カット部
２２    上側延片部
２２ａ  貫通孔
２４    接着面部
２５    剥離材
２５ａ  折り込み部
２５ｂ  貫通孔
３０    棒状掛止体
【図１】
2006123977.tif 000003
【図２】
2006123977.tif 000004
【図３】
2006123977.tif 000005
【図４】
2006123977.tif 000006
【図５】
2006123977.tif 000007
【図６】
2006123977.tif 000008